(57)【要約】【課題】撮像装置の美感の向上と撮影時における撮像装置の確実な保持及び操作。【解決手段】撮像装置（デジタルスチルカメラ１）のレンズ鏡筒部３側の外筐２表面である外筐フロント形成部４１表面にエッチングが施される。前記エッチングによって形成された食像（凹凸模様３１）は複数の凹部３２と凸部３３とが連続的に配置されてなる。凹部３２及び凸部３３の設置面は菱形に形成される。前記エッチングによって形成される凹部及び凸部の設置面は三角形に形成してもよい。前記設置面が三角形に形成される場合、凹部と凸部の設置面の組み合わせからなる輪郭の形状が菱形となるように凹部と凸部が配置される。前記菱形の横対角線の長さは縦対角線の長さよりも長く設定される。尚、デジタルスチルカメラ１のモードダイヤルの側面にエッチングによって凹凸からなる模様が形成される。前記模様としては唐草模様や月桂樹模様が例示される。【選択図】図１
2007212643.tif 000002
【特許請求の範囲】
【請求項１】
撮像装置のレンズ鏡筒部側の外筐表面にエッチングが施された撮像装置の外筐構造であって、
前記エッチングによって前記外筐表面に形成された食像は複数の凹部と凸部とが連続的に配置されてなること
を特徴とする撮像装置の外筐構造。
【請求項２】
前記凹部及び凸部の設置面の形状は菱形であること
を特徴とする請求項１記載の撮像装置の外筐構造。
【請求項３】
前記凹部及び凸部の設置面の形状は三角形であること
を特徴とする請求項１記載の撮像装置の外筐構造。
【請求項４】
前記凹部と前記凸部の設置面の組み合わせからなる輪郭の形状が菱形となるように前記凹部及び凸部が形成されたこと
を特徴とする請求項３記載の撮像装置の外筐構造。
【請求項５】
前記菱形は少なくとも横対角線の長さが縦対角線の長さよりも長いこと
を特徴とする請求項２記載の撮像装置の外筐構造。
【請求項６】
前記菱形は少なくとも横対角線の長さが縦対角線の長さよりも長いこと
を特徴とする請求項４記載の撮像装置の外筐構造。
【請求項７】
前記菱形の横対角線の長さと縦対角線の長さの比率は１．５〜２．５対１であること
を特徴とする請求項５記載の撮像装置の外筐構造。
【請求項８】
前記菱形の横対角線の長さと縦対角線の長さの比率は１．５〜２．５対１であること
を特徴とする請求項６記載の撮像装置の外筐構造。
【請求項９】
撮像装置に具備されたモードダイヤルの側面にエッチングが施されたモードダイヤルの側面構造であって、
前記エッチングによって前記外筐表面に形成された食像は凹凸からなる模様を成していること
を特徴とするモードダイヤルの側面構造。
【請求項１０】
撮像装置のレンズ鏡筒部側の外筐表面にエッチングが施された撮像装置であって、
前記エッチングによって前記外筐表面に形成された食像は複数の凹部と凸部とが連続的に配置されてなること
を特徴とする撮像装置。
【請求項１１】
撮像装置に具備されたモードダイヤルの側面にエッチングが施された撮像装置であって、
前記エッチングによって形成された食像は凹凸からなる模様を成していること
を特徴とする撮像装置。
【発明の詳細な説明】
【技術分野】
【０００１】
本発明はデジタルスチルカメラに例示される撮像装置の外筐及びその他の部品、特に表面にエッチングが施された外筐及びその他の部品の構造に関する。
【背景技術】
【０００２】
デジタルスチルカメラに例示される撮像装置のレンズ鏡胴側の面には撮影時に使用者が前記撮像装置を保持し易くすくなるために前記使用者の指が掛けられる係止部が設けられることは既に周知な技術となっている。
【０００３】
また、近年になって前記撮像装置の筐体には強度及び美感を呈するようにするためにアルミニウム材料が採用されている。そして、前記アルミニウム材料からなる筐体には例えば特許文献１に挙げられた電子装置のように筐体の表面にエッチングが施されて撮像装置の美感の向上が図られている。
【特許文献１】特開２００４−１２４２１９
【発明の開示】
【発明が解決しようとする課題】
【０００４】
撮影時に撮像装置の保持のため係止部を撮像装置に設けることは撮像装置の美感を多少犠牲にせざるをえない。
【０００５】
また、撮像装置を扱う使用者の手のサイズは個人差があり、前記撮像装置に設けられた係止部は前記撮像装置の保持のために有効的に利用されていないのが現状である。
【０００６】
一方、従来の撮像装置の筐体に施されるエッチングは美感の向上を主たる目的としており、撮像装置の保持のし易さは考慮されていない。
【０００７】
本発明は以上の事情に鑑みなされたもので、その目的は撮像装置の美感を向上させると共に撮影時に撮像装置を確実に保持及び操作できる撮像装置の外筐構造及び部品並びに撮像装置の提供にある。
【課題を解決するための手段】
【０００８】
そこで、本発明の撮像装置の外筐構造は、撮像装置のレンズ鏡筒部側の外筐表面にエッチングが施された撮像装置の外筐構造であって、前記エッチングによって前記外筐表面に形成された食像は複数の凹部と凸部とが連続的に配置されてなることを特徴とする。
【０００９】
本発明のモードダイヤルの側面構造は、撮像装置に具備されたモードダイヤルの側面にエッチングが施されたモードダイヤルの側面構造であって、前記エッチングによって前記外筐表面に形成された食像は凹凸からなる模様を成していることを特徴とする。
【００１０】
本発明の撮像装置は、撮像装置のレンズ鏡筒部側の外筐表面にエッチングが施された撮像装置であって、前記エッチングによって前記外筐表面に形成された食像は複数の凹部と凸部とが連続的に配置されてなることを特徴とする。
【００１１】
本発明の撮像装置は、撮像装置に具備されたモードダイヤルの側面にエッチングが施された撮像装置であって、前記エッチングによって形成された食像は凹凸からなる模様を成していることを特徴とする。
【００１２】
本発明の撮像装置の外筐構造及びこれを備えた撮像装置によれば、前記外筐表面に形成された食像が複数の凹部と凸部とが連続的に配置されているので、撮像装置の美感が向上すると共に、外筐表面の摩擦抵抗が高まり、撮像装置本体に手を添えるだけで撮像装置を確実に保持できる。したがって、撮像装置の操作を確実に行なえ、良好な画像が得られる。
【００１３】
また、本発明のモードダイヤルの側面構造及びこれを備えた撮像装置によれば、モードダイヤルの側面に形成された食像が凹凸からなる模様をなしているので、モードダイヤルの美感が向上する。さらに、前記側面の表面の摩擦抵抗が高まっているので、確実なダイヤル操作を行なえる。尚、前記凹凸からなる模様としては唐草模様や月桂樹模様が例示される。
【００１４】
前記エッチングによって形成される凹部及び凸部の設置面の形状としては菱形または三角形が挙げられる。前記設置面が三角形に形成される場合、前記凹部と凸部の設置面の組み合わせからなる輪郭の形状が菱形となるように凹部及び凸部を形成するとよい。また、前記菱形は少なくとも横対角線の長さが縦対角線の長さよりも長く設定すると、撮像装置本体に使用者の手が添えられたとき使用者の指が連続的に配置された凸部に係止し易くなり、より一層確実に撮像装置を保持しやすくなる。前記菱形の横対角線の長さと縦対角線の長さの比率としては例えば前記横対角線の長さと前記縦対角線の長さの比率が１．５〜２．５対１であることが挙げられる。
【発明の効果】
【００１５】
以上のように、本発明の撮像装置の外筐構造及びこれを備えた撮像装置によれば、撮像装置の美感を向上させて高級感を呈すると共に撮影時に撮像装置を確実に保持及び操作できる。
【００１６】
また、本発明のモードダイヤルの側面構造及びこれを備えた撮像装置によれば、モードダイヤル及び撮像装置の美感を向上させると共にモードダイヤルのダイヤル操作を確実に操作できる。
【発明を実施するための最良の形態】
【００１７】
図１〜図４は本発明の一実施形態に係る外筐を備えた撮像装置の斜視図である。特に図１は前記撮像装置の第一の主面（正面側）側から観た斜視図である。図２及び図３は前記撮像装置の第二の主面（裏面側）から観た斜視図である。図４は前記撮像装置のバッテリ排出側から観た斜視図である。尚、以下に説明する各図面において同一符号が付された装置とその構成要素の外観に若干の相違があったとしてもそれは作図の都合によるものなので、各図面に示された同一符号の装置及び構成要素は互いに実質的に同一である。
【００１８】
図１に示されたデジタルスチルカメラ１は本発明の一実施形態に係る外筐を備えた撮像装置の一例である。デジタルスチルカメラ１には、外筐（キャビネット）２の第一の主面２ａに臨んで、沈胴式のレンズ鏡筒部３と、フラッシュ装置４と、オートフォーカス用の補助光を発光させるためのＡＦイルミネータ５と、ＯＶＦ（オプティカルビューファインダー）６の対物側のレンズ６ａと、マイクロホン７とが配置されている。
【００１９】
また、図２に示したように、外筐２の第２の主面２ｂに臨んで、ＬＣＤ等の表示部（スクリーン）９と、ＯＶＦ６の接眼側のレンズ６ｂと、ＡＥ／ＡＦロックランプ／セルフタイマーランプ１０と、フラッシュチャージランプ／レコードランプ１１と、スピーカー１２と、プレーバック用のボタン１３と、モードダイヤル１４と、スクリーンディスプレイスイッチ用のボタン１５と、メニューボタン１６と、コントロールボタン１７と、イメージサイズ／デリートボタン１８とが配置されている。
【００２０】
特に、第２の主面２ｂの上部は傾斜面２ｇとなっており、この傾斜面２ｇにＡＥ／ＡＦロックランプ／セルフタイマーランプ１０と、フラッシュチャージャーランプ／レコードランプ１１と、スピーカー１２と、プレーバック用のボタン１３と、モードダイヤル１４とが配置されている。また、外筐２の上面２ｃに臨んで、シャッターボタン１９とズームレバー２０とパワーボタン２１とが配置されている。
【００２１】
そして、図２に示されたように、外筐２の第１の側面２ｄに臨んで、ＤＣＩＮジャックカバー２２とストラップ取付部２３とが配置されている。
【００２２】
一方、外筐２の第２の側面２ｅには、図３に示したように、マルチコネクター用のカバー２４が設けられている。カバー２４が開くとデジタルスチルカメラ１に具備された図示省略のマルチコネクターが外部に臨むようになっている。
【００２３】
また、外筐２の下面２ｆには、図４に示されたように、バッテリ収納部２６と記録媒体収納部２７と収納カバー２８と三脚取付用のネジ部２９とが設けられている。記録媒体収納部２７にはメモリースティック等の記録媒体が収納される。収納カバー２８はバッテリ収納部２６と記録媒体収納部２７を開閉させるためのカバーである。
【００２４】
外筐２の構成について説明する。外筐２は図１及び図２に示されたように外筐フロント形成部４１と外筐リヤ形成部４２と外筐トップ形成部４３と外筐第１側面形成部４４と外筐第２側面形成部４５とからなる。
【００２５】
外筐フロント形成部４１はアルミニウムやマグネシウム合金等に例示される金属板が加工されてなる。外筐フロント形成部４１は、図１〜図４から明らかなように、第１の主面２ａの他に、デジタルスチルカメラ１の上面２ｃの一部、第１の側面２ｄの一部、第２の側面２ｅの一部、そしてデジタルスチルカメラ１の下面２ｆの一部が形成されるように加工されている。
【００２６】
外筐フロント形成部４１には図５に示されたようにレンズ鏡筒取付孔５１とフラッシュ装置取付孔５２とＡＦイルミネータ取付孔５３と窓部５４と小孔５５とが形成されている。レンズ鏡筒取付孔５１は、レンズ鏡筒部３を露出させるための孔であり、略円形状に形成されている。フラッシュ装置取付孔５２は、フラッシュ装置４を露出させるための孔であり、略葉巻型に形成されている。ＡＦイルミネータ取付孔５３は、ＡＦイルミネータ５を露出させるための孔であり、略円形状に形成されている。窓部５４は、ＯＶＦ（オプティカルビューファインダー）６の対物側のレンズ６ａを露出させる孔であり、略四角形状に形成されている。小孔５５はデジタルスチルカメラ１に具備されたマイクロホン７が受ける音声を導入するための孔である。小孔５５は適宜に複数形成されている。また、外筐フロント形成部４１の表面にはエッチングによって凹凸模様３１が施されている。
【００２７】
外筐リヤ形成部４２も外筐フロント形成部４１と同様にアルミニウムやマグネシウム合金等に例示される金属板が加工されてなる。外筐リヤ形成部４２は、第２の主面２ｂの他に、デジタルスチルカメラ１の上面２ｃの一部、第１の側面２ｄの一部、第２の側面２ｅの一部、そしてデジタルスチルカメラ１の下面２ｆの一部が形成されるように加工されている。
【００２８】
外筐リヤ形成部４２には図４に示されたように切り欠き窓部６１と窓部６２，６３，６４と小孔６５とプレーバック用ボタン取付孔６６とモードダイヤル配置孔６７とボタン配置孔６８，６９，７０，７１とが形成されている。切り欠き窓部６１は表示部（スクリーン）９を露出させている。窓部６２は、ＯＶＦ６の接眼側のレンズ６ｂを露出させる孔であり、略四角形状に形成されている。窓部６３はＡＥ／ＡＦロックランプ／セルフタイマーランプ１０を露出させている。窓部６４はフラッシュチャージランプ／レコードランプ１１を露出させている。小孔６５はスピーカー１２から発する音声を放出するための孔である。小孔６５は適宜に複数形成されている。プレーバック用ボタン取付孔６６は、プレーバック用ボタン１３を露出させるための孔であり、略葉巻型に形成されている。モードダイヤル配置孔６７はモードダイヤル１４を露出させている。ボタン配置孔６８はスクリーンディスプレイスイッチ用ボタン１５を露出させている。ボタン配置孔６９はメニューボタン１６を露出させている。ボタン配置孔７０はコントロールボタン１７を露出させている。ボタン配置孔７１はイメージサイズ／デリートボタン１８を露出させている。また、外筐リヤ形成部４２には図３に示されたようにデジタルスチルカメラ１に具備された図示省略のマルチコネクターを密閉するマルチコネクター用のカバー２４がヒンジ機構によって開閉動作可能に設けられている。
【００２９】
外筐トップ形成部４３は図１に示されたように上面２ｃの一部を形成させている。外筐トップ形成部４３にはシャッターボタン１９及びズームレバー２０を露出させる孔と、パワーボタン２１を露出させる孔とが形成されている。
【００３０】
外筐第１側面形成部４４は図２に示されたように第１の側面２ｄの一部が形成されるように加工されている。外筐第１側面形成部４４にはストラップが連結されるストラップ取付部２３が設けられている。
【００３１】
外筐第２側面形成部４５は図３及び図４から明らかなように第１〜３の片４５ａ〜４５ｃを有するように略コ字状に形成されている。第１の片４５ａは外筐２の上面２ｃの一部を形成させている。第２の片４５ｂは第２の側面２ｅの一部を形成させている。第３の片４５ｃは下面２ｆの一部を形成させている。第３の片４５ｃは収納カバー２８との組み合わせによって外筐２の下面２ｆの一部を構成させる。収納カバー２８はバッテリ収納部２６に回動可能に取付けられている。
【００３２】
図６は外筐フロント形成部４１の表面に施されたエッチング模様の拡大図である。
【００３３】
外筐フロント形成部４１に形成された食像（エッチング）である凹凸模様３１は複数の凹部３２及び凸部３３が連続的に配置された形態となっている。凹部３２及び凸部３３は既知のエッチング法によって形成すればよい。
【００３４】
凹部３２と凸部３３の設置面は同一形状に形成されている。前記設置面は菱形に形成されている。各々の凹部３２は設置面の頂点を介して互いに略接した状態となるように形成されている。各々の凸部３３も設置面の頂点を介して互いに略接した状態となるように形成されている。
【００３５】
前記菱形は少なくとも横対角線の長さが縦対角線の長さよりも長く形成するとよい。例えば前記菱形は横対角線Ｘの長さ：縦対角線Ｙの長さ＝１．５〜２．５：１となるように形成される。より具体的には図７に示された菱形の形状のように略２：１に設定される。例えば横対角線Ｘの長さが０．８ｍｍの場合、縦対角線Ｙの長さは０．４ｍｍに設定される。横対角線Ｘの長さが１．０ｍｍの場合、縦対角線Ｙの長さは０．５ｍｍに設定される。また、凸部３３の高さは例えば５０〜８０μｍに設定される。以上のような寸法で凹部３２と凸部３３が形成されると、デジタルスチルカメラ１の美感が向上すると共に外筐フロント形成部４１の表面の摩擦抵抗が高まる。特に、デジタルスチルカメラ１本体に使用者の手が添えられたとき使用者の指が連続的に配置された複数の凸部３３に係止し易くなり、撮影時においてより一層確実にデジタルスチルカメラ１を保持しやすくなる。尚、凸部３３は四角柱状に形成されているが四角錘状に形成してもよい。
【００３６】
図８は外筐フロント形成部４１の表面に施されたのその他の形態を示した拡大図である。凹凸模様３４は複数の凹部３５及び凸部３６が連続的に配置されて形成されている。凹部３５及び凸部３６も既知のエッチング法によって形成すればよい。
【００３７】
凹部３５及び凸部３６の設置面の形状は図８に示されたように同一形状の三角形に形成されている。図示された凹部３５の設置面は下に凸の三角形となっている一方で凸部３６は上に凸の三角形となっている。各々の凹部３５は設置面の頂点を介して互いに略接した状態となるように形成されている。各々の凸部３６も設置面の頂点を介して互いに略接した状態となるように形成されている。
【００３８】
凹部３５の設置面の形状と凸部３６の設置面の形状とが組み合わされて形成される菱形は、凹凸模様３１を構成する凹部３２及び凸部３３の設置面の寸法と同様に、図７に示されたように、少なくとも横対角線Ｘの長さが縦対角線Ｙの長さよりも長く設定される。例えば、横対角線Ｘと縦対角線Ｙの長さの比率は、横対角線Ｘの長さ：縦対角線Ｙの長さ＝１．５〜２．５：１、より具体的には略２：１に設定される。例えば凹部３５と凸部３６の設置面の輪郭からなる菱形の横対角線Ｘの長さが０．８ｍｍの場合、縦対角線Ｙの長さは０．４ｍｍに設定される。横対角線Ｘの長さが１．０ｍｍの場合、縦対角線Ｙの長さは０．５ｍｍに設定される。また、凸部３６の高さは凸部３３と同様に例えば５０〜８０μｍに設置される。以上のような寸法で凹部３５と凸部３６が形成されると、デジタルスチルカメラ１の美感が向上すると共に外筐フロント形成部４１の表面の摩擦抵抗が高まる。特に、デジタルスチルカメラ１本体に使用者の手が添えられたとき使用者の指が連続的に配置された複数の凸部３６に係止し易くなり、撮影時においてより一層確実にデジタルスチルカメラ１を保持しやすくなる。尚、凸部３６は三角柱状に形成されているが三角錘状に形成してもよい。
【００３９】
また、エッチングによる凹凸模様はデジタルスチルカメラ１に具備されたモードダイヤル１４に施してもよい。モードダイヤル１４は図９に示されたように円柱状に形成されている。モードダイヤル１４の端面３７には撮影モードを示すモード表示部３９が複数形成されている。モード表示部３９は端面３７の周縁に沿って配置されている。モードダイヤル１４の側面３８には凹凸模様４０が施されている。凹凸模様４０は、凹凸からなる模様であって、既知のエッチング処理法によって形成される。凹凸模様４０としては凹凸からなる唐草模様や月桂樹模様が例示される。
【００４０】
以上のようにデジタルスチルカメラ１によれば、外筐２の表面特に外筐フロント形成部４１に形成された食像であるエッチング模様（凹凸模様３１，３４）は複数の凹部と凸部とが連続的に配置されてなるので、デジタルスチルカメラ１の美感が向上し高級感を呈する。
【００４１】
また、外筐フロント形成部４１の表面の摩擦抵抗が高まり、撮影時にデジタルスチルカメラ１本体に手を添えるだけでデジタルスチルカメラ１を確実に保持することができる。したがって、デジタルスチルカメラ１の操作を確実に行なえ、良好な画像を撮ることができる。
【００４２】
特に、前記エッチング模様が凹凸模様３１，３４のように形成されると、デジタルスチルカメラ１の使用者の指が連続的に配置された凸部３３，３６に係止し易くなるので、より一層確実にデジタルスチルカメラ１を保持及び操作できるようになる。
【００４３】
そして、デジタルスチルカメラ１のモードダイヤル１４の側面３８にエッチングが施されて凹凸模様４０が形成されることにより、モードダイヤル１４の美感が向上する。さらにはデジタルスチルカメラ１の高級感が高まる。また、モードダイヤル１４の側面３８の表面における摩擦抵抗が高まり、モードダイヤル１４の操作を確実に行なえる。
【図面の簡単な説明】
【００４４】
【図１】本発明の一実施形態に係る外筐を備えた撮像装置の斜視図。
【図２】本発明の一実施形態に係る外筐を備えた撮像装置の斜視図。
【図３】本発明の一実施形態に係る外筐を備えた撮像装置の斜視図。
【図４】本発明の一実施形態に係る外筐を備えた撮像装置の斜視図。
【図５】本発明の一実施形態に係る外筐の構成要素である外筐フロント形成部の正面図。
【図６】本発明の一実施形態に係る外筐の外筐フロント形成部の表面に施された模様の拡大図。
【図７】本発明の一実施形態に係る外筐の外筐フロント形成部の表面に施された模様を構成する凹部と凸部の形状を示した説明図。
【図８】本発明の他の実施形態に係る外筐の外筐フロント形成部の表面に施される模様の形態を示した拡大図。
【図９】本発明の他の実施形態に係るモードダイヤルの斜視図。
【符号の説明】
【００４５】
１…デジタルスチルカメラ
２…外筐
１４…モードダイヤル
３１，３４…凹凸模様、３２，３５…凹部、３３，３６…凸部
３７…端面、３８…側面、３９…モード表示部
４０…凹凸模様
４１…外筐フロント形成部、４２…外筐リヤ形成部、４３…外筐トップ形成部、４４…外筐第１側面形成部、４５…外筐第２側面形成部
【図１】
2007212643.tif 000003
【図２】
2007212643.tif 000004
【図３】
2007212643.tif 000005
【図４】
2007212643.tif 000006
【図５】
2007212643.tif 000007
【図６】
2007212643.tif 000008
【図７】
2007212643.tif 000009
【図８】
2007212643.tif 000010
【図９】
2007212643.tif 000011